(57)【要約】【課題】冊子の見開き頁にホールレイアウト、グリーンレイアウト、攻略法等を掲載し、かつ、各レイアウト上に打球の軌跡等を記載可能とし、さらにスコア記入面を複数備えるスコアカードを提供する。【解決手段】冊子の見開き頁にホールレイアウト、グリーンレイアウト、攻略法等を掲載し、これをホール数分積重ね冊子とし、かつ、ホールレイアウトの対向頁にグリーンレイアウトを拡大して掲載し、さらにスコア記入面を複数備えたスコアカードとした。【選択図】  図１
2004202854.tif 000002
【特許請求の範囲】
【請求項１】
冊子の見開き頁にて、片頁に当該ホールのホールレイアウト、他片頁に当該ホールのグリーンレイアウトを有し、そのホールのプレー進行に役立つ攻略法等の他情報を掲載する構成にて１ホール分とし、これをホール数分積重ね冊子としたことを特徴とするスコアカード。
【請求項２】
請求項１のスコアカードにおいて、ホールレイアウトが掲載された頁の対向頁にグリーンレイアウトを拡大して掲載したスコアカード。
【請求項３】
請求項１のスコアカードにおいて、スコア記入面を複数備えたスコアカード。
【発明の詳細な説明】
【０００１】
【産業上の利用分野】
本発明はゴルフスコアカードに関する。
【０００２】
【従来の技術】
ゴルフの成績を記入するスコアカードとして、一面にスコア記入欄を表示し、他面に全ホールをまとめて記載したものが従来より公知である。しかしそれは、各ホールの全体を表示しただけであり各ホール毎の詳細な情報については不十分であった。かつ、ホールのレイアウトやその攻略法およびグリーンのレイアウトやその攻略法を同時に記載したものはなくホールを熟知していないプレーヤにとってはプレーの進行においても支障をきたす場合があった。しかも、結果としてのスコア（打数）を記載するのが主目的であり、打球（ショットもしくはパッティング）の軌跡は記録できなかった。
【０００３】
このためホールを熟知していないビジター等は、各ホール毎にキャディからそのコースレイアウト、攻略ルート等の説明を受けたり、ホール標識に記載されたコース図形を見たりしてラウンドしていた。そしてグリーン上ではパッティング位置からピンポジションまでの距離やライン等をキャディに聞いてプレーを行っていた。まして、セルフプレー時においては必要となる情報はほとんどない状態でプレーを進行していたため、ラウンド時間が長引く場合があった。
【０００４】
ところで、従来から各ホールのレイアウト付きスコアカードは、全ホールをまとめたゴルフ場の全体を地形図としてカードの一部に掲載したものが一般的であるが（図４）、さらに発展的にしたものとして、特許文献１、特許文献２、特許文献３、特許文献４、特許文献５に記載されたものを挙げることができる。
【特許文献１】特開平１１−２０６９４３号公報
【特許文献２】特開平６−３０５２８０号公報
【特許文献３】特開平４−５４９７７号公報
【特許文献４】特公昭５６−２２７１２号公報
【特許文献５】実開昭６１−４０２７１号公報
【０００５】
特許文献１においては、ホールレイアウトは掲載されているが表示のみである。
特許文献２においては、グリーンレイアウトとパッティングラインは掲載されているが表示のみである。
特許文献３においては、ホールレイアウト、グリーンレイアウトとも掲載されているが攻略法は掲載されていない。
特許文献４においても、ホールレイアウト、グリーンレイアウトとも掲載されているが表示のみである。
特許文献５においては、ホールレイアウト、グリーンレイアウトとも掲載されているが攻略法は掲載されていない。
前述した各公報に記載されるスコアカードは、冊子の形式ではなく一枚の紙をいくつかに折りたたむ形式で、かつ、攻略法の掲載はなく、かつ、ホールレイアウトまたはグリーンレイアウトの掲載があってもボール位置、打数、打球の軌跡を記載するには実質的に困難であった。
【０００６】
さらに、従来までのスコアカードはスコア記入面が１ラウンド分しか掲載されておらず、次回ラウンド時は新しいスコアカードを使用していたため、前回ラウンド時のプレーを回顧し、今回プレーに役立てることは難しかった。
【０００７】
【発明が解決しようとする課題】
本発明の第１の目的は、プレーヤのポケットに容易に収まる大きさの冊子にてプレーヤが必要とする情報（ホールレイアウト、グリーンレイアウト等の地形に関連する情報とプレー進行の一助となるためのそれぞれのレイアウト上における攻略法、各地点から進行方向に向けた写真等）を提供することにあり、第２の目的は、ホールレイアウト、グリーンレイアウト上にボール位置と打数、打球の軌跡を記載可能にし、グリーンレイアウトにおいては、ライン等の固定情報だけではなく日々変更されるピンポジションについても記載可能とすることにあり、第３の目的は、複数回のラウンドを可能とするため裏表紙だけではなく別頁にもスコア記入面を備えることにある。
【０００８】
【課題を解決するための手段】
上記第１の目的を達成するために、冊子の見開き頁にて、片頁に当該ホールのホールレイアウト（地形図）、他片頁に当該ホールのグリーンレイアウトを有し、そのホールのプレー進行に役立つ攻略法等の他情報を掲載する構成にて１ホール分とし、これをホール数分積重ね冊子とした。また、第２の目的を達成するために、ホールレイアウトが掲載された頁の対頁にグリーンレイアウトを拡大して掲載した。第３の目的を達成するために、裏表紙だけではなく別頁にもスコア記入面を備えたスコアカードとした。
【０００９】
【発明の実施の形態】
以下本発明の一実施の形態について説明する。
【００１０】
【実施例】
次に、本発明の実施例を図面に基づいて説明する。
【００１１】
本発明スコアカードは、横に長い矩形の紙等のカード素材複数枚（１１枚程度）を重ね長手方向の真ん中の折れ線１で二つ折りにして、小さく（８．５ｃｍ×１３ｃｍ程度に）した小冊子で、このサイズであれば、通常のスコアカードホルダー（ロッカー鍵付き）に丁度納まるサイズである。そして、折れ線１にて谷折りした時の見開き頁（左右頁）がこの発明の要部となる。図１が折れ線１で谷折りにした時の展開正面図を表し、図２が折れ線１で山折りにした時の展開背面図（表紙３９、裏表紙４０）を示し、図３は折れ線１で山折りにした時の本スコアカードの全体を示し、図４は従来のコース全体図を示す。プレーヤが本スコアカードのグリーンレイアウトにピンポジションを記載するために必要となる情報が図５に示すような形でゴルフ場より提示される予定である。
【００１２】
まず、図１左頁について説明すると、折れ線１を境にして、左側上端部には、従来のものと同様に、ホールナンバー２ａ、バックティ、レギュラーティ、フロントティからの各距離２ｂ２ｃ２ｄ、さらにはパーの値２ｅ、ハンデキャップ２ｆが掲載されている。上端部以下にコースレイアウトとして、ティグラウンド３、フェアウェー４、ラフ５、グリーン６、グリーンエッジ７、攻略位置８ａ、８ｂ（塗りつぶした円）、攻略ルート９（複数の攻略位置を結ぶ実線）、所定位置からグリーン中央までの残距離１０、コース内にあるグリーンまでの距離を示す自然物、人工物等１１、前述１０の距離をフェアウウェー左サイドと右サイドに示しているがそれを結んだ線１２、バンカー１３、木々または林１４、河川１５、池１６、ペナルティエリア１７、アウトオブバウンズ１８等地形に関する情報を掲載している。また、プレーヤはコースレイアウトにボール位置と打数１９ａと打球の軌跡１９ｂを記載できる。
【００１３】
次に、図１右頁を説明すると、右頁上端部にコースの攻略法２０とホールナンバー２１が掲載されている。上端部以下にグリーンレイアウトとして、グリーンの種類２２、グリーンの形状２３、グリーンエッジ２４、花道からみてグリーンの前後左右からのパッティングライン２５（矢印付きの破線および実線のライン）とパッティングの強弱を示す情報２６（前述２５のラインで、破線、太線等により強弱を表現）とパッティング時の攻略法２７を掲載している。また、プレーヤはあらかじめスタート前に、ピンポジションをグリーンレイアウト上に記載できる。これは十字の実線２８ａ、２８ｂで表し、十字の中心からみて上下左右の距離２９を記載することでパッティング時に活用することができる。（十字ではなく、かぎ型”┐”等で表現しても可）２８ａ、２８ｂ、２９については、ゴルフ場から図５に示すようなピンポジション情報の提示を受けプレーヤの判断により記載する。グリーンレイアウトにもボール位置と打数３０と打球の軌跡３１を記載できる。中断以下には想定される第２打地点８ｂからグリーン方向の写真３２と攻略法３３、同様に第１打地点８ａから第２打地点８ｂ方向の写真３４と攻略法３５を掲載する。
【００１４】
なお、このスコアカードは複数回ラウンドも対応可能である。スコア記入面４１を、裏表紙４０以外の別頁にも掲載することで複数回のラウンド時でもスコア記入を可能とする。各ホールにおけるホールレイアウト、グリーンレイアウト上のボール位置と打数、打球の軌跡、グリーンレイアウト上のピンポジションについては、例えば２回ラウンドする場合は１回目は赤色の筆記具で記載し、２回目は青色の筆記具で記載する。もう少し詳しく説明すると前回ラウンドした時に使用したスコアカードに前回使用した筆記具とは違う色の筆記具を使用することで、前回のプレーと今回のプレーの住み分けが可能（図１中では、前回使用の筆記具は赤色１９ａ、１９ｂ、２８ａ、２８ｂ、２９、３０、３１、今回使用の筆記具は青色３６ａ、３６ｂ、３７ａ、３７ｂ、３８にて示している）でかつ、前回プレーとの比較も可能となる。
【００１５】
【発明の効果】
以上説明したように、この発明のスコアカードによれば、見開き頁に各ホールの必要な情報が十分掲載されておりプレー前から各ホールのレイアウトが参照可能で、事前に攻略方法を検討したり、構想を思い描くことができる。プレー中はプレーするホールの詳細情報を有効活用してプレーの進行の一助になり、プレー後は、スコア（打数）だけでは思い出しにくかったプレーが、各ホールのレイアウトや写真の掲載、打球の軌跡等があるためプレーを回顧するときに効果を奏する。さらには、複数回ラウンド可能であるため前回使用したスコアカードを使用してラウンドすることができる。このことにより、前回プレーとの比較をしながら、前回プレー時の教訓を今回のプレーに反映させることも可能となる。これら効果により、ビジターはもとよりコースを熟知しているプレーヤにおいてもプレー進行の助けとなるだけではなく挑戦意欲がさらにかき立てられ次のプレーに結びつき、リピート率の向上、さらにはゴルフの活性化の一助になるものと期待する。
【図面の簡単な説明】
【図１】この発明のスコアカードの要部を示す展開正面図である。
【図２】同スコアカードの展開背面図（表紙、裏表紙）である。
【図３】同スコアカードの全体図である。
【図４】従来のコース全体図である。
【図５】ピンポジション図である。
【符号の説明】
１  折れ線
４  フェアウェイ
６  グリーン
１０  グリーン中央までの残距離
１４  木々、林
１９ａ  ボール位置と打数
１９ｂ  打球の軌跡
２５  パッティングライン
２７  攻略法
２８ａ  ピンポジション
３０  ボール位置と打数
３１  打球の軌跡
３２  第２打地点からグリーン方向の写真
３３  攻略法
４１  スコア記入面
【図１】
2004202854.tif 000003
【図２】
2004202854.tif 000004
【図３】
2004202854.tif 000005
【図４】
2004202854.tif 000006
【図５】
2004202854.tif 000007